(57)【要約】【課題】第３者の不当な通信による妨害を安価に阻止することができる蓄電装置、及び、該蓄電装置を備える給電システムを提供する。【解決手段】給電システム１において、蓄電装置１２はケーブル１１を介して給電装置１０に着脱可能に接続される。蓄電装置１２は、給電装置１０によって給電されると共に通信信号の送受信を給電装置１０と行う。充電制御部４４によって蓄電装置１２に給電装置１０が接続されたと判定した場合、ＥＣＵ４６の制御部５３は、無線通信によって、通信機１３を認証するための認証情報を取得し、取得した認証情報に基づいて通信機１３を認証する。制御部５３によって行われた認証が成功した場合、蓄電装置１２は給電装置１０と通信信号の送受信を行い、制御部５３によって行われた認証が失敗した場合、蓄電装置１２は給電装置１０と通信信号の送受信を行わない。【選択図】図１
2015226349.tif 000002
【特許請求の範囲】
【請求項１】
外部装置に接続され、該外部装置によって給電されると共に信号の送受信を前記外部装置と行う蓄電装置において、
該外部装置が接続されたか否かを判定する判定手段と、
該判定手段によって前記外部装置が接続されたと判定した場合、特定の対象を認証するための認証情報を取得する取得手段と、
該取得手段が取得した認証情報に基づいて前記特定の対象を認証する認証手段と
を備え、
該認証手段によって行われた認証が成功した場合に前記送受信を行い、前記認証手段によって行われた認証が失敗した場合に前記送受信を行わないように構成してあること
を特徴とする蓄電装置。
【請求項２】
前記送受信と、周波数帯域が前記信号と異なる第２の信号の送受信とを、１本の通信線を介して前記外部装置と行うように構成してあること
を特徴とする請求項１に記載の蓄電装置。
【請求項３】
前記認証情報の送信を要求する要求信号を外部に無線で送信する送信手段と、
外部から信号を無線で受信する受信手段と
を備え、
前記取得手段は該受信手段が受信した信号に含まれる認証情報を取得するように構成してあること
を特徴とする請求項１又は請求項２に記載の蓄電装置。
【請求項４】
前記認証情報を受け付ける受付手段を備え、
前記取得手段は、該受付手段が受け付けた前記認証情報を取得するように構成してあること
を特徴とする請求項１又は請求項２に記載の蓄電装置。
【請求項５】
前記受付手段は前記認証情報として生体情報を受け付けるように構成してあること
を特徴とする請求項４に記載の蓄電装置。
【請求項６】
請求項１から請求項５のいずれか１つに記載の蓄電装置と、
該蓄電装置に接続され、該蓄電装置に給電すると共に前記信号の送受信を前記蓄電装置と行う給電装置と
を備えることを特徴とする給電システム。
【発明の詳細な説明】
【技術分野】
【０００１】
本発明は、接続された外部装置によって給電される蓄電装置、及び、該蓄電装置を備える給電システムに関する。
【背景技術】
【０００２】
現在、電気自動車又はプラグインハイブリッド車が普及している。電気自動車又はプラグインハイブリッド車には、外部から供給された電力を蓄える蓄電装置（例えば、特許文献１を参照）が搭載されている。電気自動車又はプラグインハイブリッド車は、蓄電装置に蓄えられている電力を用いてモータを駆動することによって、車輪を回転させて走行する。
【０００３】
特許文献１に記載の蓄電装置は、一般家屋、又は、商用の給電ステーション等の施設に配置された給電装置に接続され、給電装置によって給電される。特許文献１に記載の蓄電装置は、バッテリを備えており、バッテリは給電装置によって供給された電力を蓄える。バッテリに蓄えられた電力はモータを駆動するために用いられる。特許文献１に記載の蓄電装置は、給電装置によって給電されると共に、充電を制御するための情報、又は、課金に関する情報等の充電情報を含む信号の送受信を給電装置と行う。
【０００４】
これにより、特許文献１に記載に記載してある蓄電装置では、例えば、給電装置が設置されている施設で消費されている電力量が所定電力量未満となるような給電、又は、電気料金が安価である時間帯での給電を自動的に行うことができる。
【先行技術文献】
【特許文献】
【０００５】
【特許文献１】特開２０１３−１１５９０５号公報
【発明の概要】
【発明が解決しようとする課題】
【０００６】
特許文献１に記載してあるような従来の蓄電装置では、給電装置との通信のセキュリティを確保する必要がある。通信のセキュリティを確保する１つの構成として、例えば、従来の蓄電装置と、この従来の蓄電装置と通信する給電装置とが、信号を暗号化する暗号化機能を備える構成が考えられる。
【０００７】
しかし、この場合、蓄電装置及び給電装置夫々が暗号化機能を備える必要があるため、蓄電装置及び給電装置の製造費用が嵩むという問題がある。電気自動車又はプラグインハイブリッド車の普及が進んだ場合、給電装置を一般家屋に設置する要求が高まると考えられる。給電装置の一般家屋への普及を考慮した場合、給電装置の製造費用を抑える必要があるため、蓄電装置及び給電装置に暗号化機能を持たせることは現実的ではない。
【０００８】
従来の蓄電装置と給電装置とに暗号化機能を持たすことなく、従来通りに通信が行われた場合、悪意のある第３者が、不当に通信を行い、情報の破壊、変更又は漏えい等の妨害を加え、通信のセキュリティが確保されない虞がある。
【０００９】
本発明は斯かる事情に鑑みてなされたものであり、その目的とするところは、第３者の不当な通信による妨害を安価に阻止することができる蓄電装置、及び、該蓄電装置を備える給電システムを提供することにある。
【課題を解決するための手段】
【００１０】
本発明に係る蓄電装置は、外部装置に接続され、該外部装置によって給電されると共に信号の送受信を前記外部装置と行う蓄電装置において、該外部装置が接続されたか否かを判定する判定手段と、該判定手段によって前記外部装置が接続されたと判定した場合、特定の対象を認証するための認証情報を取得する取得手段と、該取得手段が取得した認証情報に基づいて前記特定の対象を認証する認証手段とを備え、該認証手段によって行われた認証が成功した場合に前記送受信を行い、前記認証手段によって行われた認証が失敗した場合に前記送受信を行わないように構成してあることを特徴とする。
【００１１】
本発明にあっては、外部装置に接続され、外部装置によって給電されると共に、信号の送受信を外部装置と行う。外部装置が接続されたと判定した場合、特定の通信機又は使用者等の対象を認証するための認証情報を取得し、取得した認証情報に基づいて特定の対象を認証する。そして、認証が成功した場合に信号の送受信を行い、認証が失敗した場合に信号の送受信を行わない。
このため、特定の対象が人物ではない場合には特定の対象を所持している者のみが装置に外部装置との通信を行わすことが可能となり、特定の対象が人物である場合には特定の対象が装置に外部装置との通信を行わすことが可能となる。これにより、第３者の不当な通信による情報の破壊、変更又は漏えい等の妨害が阻止される。更に、信号に暗号化等の複雑な処理を施す必要がないため、妨害が安価に阻止される。
【００１２】
本発明に係る蓄電装置は、前記送受信と、周波数帯域が前記信号と異なる第２の信号の送受信とを、１本の通信線を介して前記外部装置と行うように構成してあることを特徴とする。
【００１３】
本発明にあっては、外部装置によって給電されると共に、信号の送受信と、周波数帯域が信号と異なる第２の信号の送受信とを１本の通信線を介して外部装置と行う。第２の信号は、例えば、データ信号ではなくて第３者が不当な通信を行うために容易に用いることができないコントロールパイロット信号である。
特定の対象の認証が成功した場合、信号の送受信が行われ、特定の対象の認証が失敗した場合、信号の送受信が行われない。
【００１４】
本発明に係る蓄電装置は、前記認証情報の送信を要求する要求信号を外部に無線で送信する送信手段と、外部から信号を無線で受信する受信手段とを備え、前記取得手段は該受信手段が受信した信号に含まれる認証情報を取得するように構成してあることを特徴とする。
【００１５】
本発明にあっては、認証情報を取得する場合、認証情報の送信を要求する信号を外部に無線で送信する。そして、外部から無線で受信した信号に含まれる認証情報を取得する。
このため、使用者は、例えば、要求信号を無線で受信した場合に予め記憶してある認証情報を含む信号を無線で送信する通信機を所持しているだけでよく、認証に煩わしさを感じることはない。
【００１６】
本発明に係る蓄電装置は、前記認証情報を受け付ける受付手段を備え、前記取得手段は、該受付手段が受け付けた前記認証情報を取得するように構成してあることを特徴とする。
【００１７】
本発明にあっては、認証情報を取得する場合、認証情報を受け付ける。そして、受け付けた認証情報を取得する。このため、簡単な構成で特定の対象を認証することが可能である。
【００１８】
本発明に係る蓄電装置は、前記受付手段は前記認証情報として生体情報を受け付けるように構成してあることを特徴とする。
【００１９】
本発明にあっては、認証情報として、指紋、声紋又は静脈等に係る生体情報を受け付け、受け付けた生体情報に基づいて特定の対象、例えば使用者が認証される。このため、特定の生体情報を持っている特定の対象のみが外部装置との通信を行わせることが可能となる。
【００２０】
本発明に係る給電システムは、前述の蓄電装置と、該蓄電装置に接続され、該蓄電装置に給電すると共に前記信号の送受信を前記蓄電装置と行う給電装置とを備えることを特徴とする。
【００２１】
本発明にあっては、前述の蓄電装置に給電装置に接続され、前述の蓄電装置は、給電装置によって給電されると共に、信号の送受信を行う。
【発明の効果】
【００２２】
本発明によれば、第３者の不当な通信による妨害を安価に阻止することができる。
【図面の簡単な説明】
【００２３】
【図１】実施の形態１における給電システムの要部構成を示すブロック図である。
【図２】充電制御部が行う動作の手順を示すフローチャートである。
【図３】通信部が行う動作の手順を示すフローチャートである。
【図４】ＥＣＵの制御部が行う認証処理の手順を示すフローチャートである。
【図５】通信機の制御部が行う動作の手順を示すフローチャートである。
【図６】実施の形態２における給電システムの要部構成を示すブロック図である。
【図７】ＥＣＵの制御部が行う認証処理の手順を示すフローチャートである。
【図８】実施の形態３における給電システムの要部構成を示すブロック図である。
【図９】ＥＣＵの制御部が行う認証処理の手順を示すフローチャートである。
【発明を実施するための形態】
【００２４】
以下、本発明をその実施の形態を示す図面に基づいて詳述する。
（実施の形態１）
図１は実施の形態１における給電システム１の要部構成を示すブロック図である。この給電システム１は、給電装置１０、ケーブル１１、蓄電装置１２及び通信機１３を備える。
給電装置１０にはケーブル１１の一端と、交流電源１４とが接続されている。ケーブル１１は蓄電装置１２に着脱可能に接続されるコネクタ２０を他端に有する。給電装置１０はケーブル１１を介して蓄電装置１２に接続される。
【００２５】
給電装置１０は一般家屋又は給電ステーション等の施設に設置されている。給電装置１０は、ケーブル１１のコネクタ２０が蓄電装置１２に接続してある状態で交流電源１４が出力した交流電力を蓄電装置１２に供給する。
蓄電装置１２は、車両に好適に搭載されており、ケーブル１１を介して給電装置１０から給電される。蓄電装置１２は、給電装置１０から供給された交流電力を直流電力に変換し、該直流電力を蓄える。
【００２６】
蓄電装置１２は、給電装置１０によって給電されると共に制御信号及び通信信号の送受信を給電装置１０と行う。給電装置１０は外部装置として機能する。
制御信号は、所謂コントロールパイロット信号であり、コネクタ２０と蓄電装置１２との接続完了、給電装置１０から供給される電流の定格値、及び、充電準備の完了等を示す第１充電情報を含む。通信信号は、給電装置１０が設置されている施設で消費されている電力量、又は、蓄電装置１２の充電にかかる費用が最も安価である充電スケジュール等を示す第２充電情報を含む。第１充電情報は給電装置１０から出力された交流電力を蓄電装置１２が蓄えるために必須であり、第２充電情報は給電装置１０から出力された交流電力を蓄電装置１２が蓄えるために必ずしも必要ではない。
【００２７】
蓄電装置１２にケーブル１１のコネクタ２０が接続された場合、蓄電装置１２は、通信機１３と無線で信号の送受信を行い、通信機１３から送信される信号の内容に応じて、制御信号の送受信、並びに、制御信号及び通信信号の送受信のいずれかを給電装置１０と行う。
【００２８】
給電装置１０はリレー３０、充電制御部３１及び通信部３２を有する。ケーブル１１は２つの給電線２１ａ，２１ｂ及び通信線２２を内包している。２つの給電線２１ａ，２１ｂ夫々はコネクタ２０及びリレー３０間を接続しており、リレー３０は２つの給電線２１ａ，２１ｂの他に交流電源１４に接続されている。通信線２２はコネクタ２０及び充電制御部３１間を接続しており、充電制御部３１は、通信線２２の他に通信部３２に接続されている。
【００２９】
リレー３０は充電制御部３１によってオン／オフされる。リレー３０はオンである場合、交流電源１４は、２つの給電線２１ａ，２１ｂを介してコネクタ２０から交流電力を出力する。リレー３０がオフである場合、交流電源１４からコネクタ２０への交流電力の供給が遮断される。
【００３０】
充電制御部３１は、通信線２２を介して蓄電装置１２と制御信号を送受信し、通信部３２は、充電制御部３１及び通信線２２を介して蓄電装置１２と通信信号を送受信する。制御信号の周波数帯域は通信信号の周波数帯域と異なっている。制御信号の周波数帯域は直流成分を含む周波数領域であり、通信信号の周波数帯域は制御信号の周波数帯域よりも高い周波数領域に存在する。
【００３１】
充電制御部３１は、制御信号を、通信線２２を介して蓄電装置１２に送信する。充電制御部３１は、通信線２２を伝播する制御信号を、ローパスフィルタを用いて抽出し、抽出した制御信号を受信する。更に、充電制御部３１は、通信線２２を伝播する通信信号を、バンドパスフィルタを用いて抽出し、抽出した通信信号を通信部３２に出力する。充電制御部３１は、蓄電装置１２と送受信する充電信号に含まれる第１充電情報に基づいてリレー３０をオン／オフする。充電制御部３１は、例えば、第１充電情報が蓄電装置１２における充電準備の完了を示している場合にリレー３０をオンにする。
【００３２】
制御信号の信号波形は繰り返しパルス列であり、充電制御部３１は繰り返しパルス列を蓄電装置１２に出力している。繰り返しパルス列のデューティ、即ち、１周期におけるパルス幅の割合が１つの情報を示している。充電制御部３１は、繰り返しパルス列のデューティを調整することによって、第１充電情報を含む制御信号を蓄電装置１２に送信する。充電制御部３１は、デューティを調整することによって、例えば、交流電源１４が出力する交流電力に係る交流電流の定格値を蓄電装置１２に通知する。
【００３３】
更に、繰り返しパルス列におけるパルスの電圧が１つの情報を示している。蓄電装置１２は、充電制御部３１が出力している繰り返しパルス列におけるパルスの電圧を調整することによって、第１充電情報を含む制御信号を充電制御部３１に送信する。蓄電装置１２は、繰り返しパルス列におけるパルスの電圧を調整することによって、例えば充電準備の完了を充電制御部３１に通知する。充電制御部３１は、バンドパスフィルタによって抽出した繰り返しパルス列におけるパルスの電圧を監視することによって第１充電情報を認識する。
【００３４】
通信部３２が蓄電装置１２と送受信する通信信号は、所謂データ信号であり、複数のビットで構成される。各ビットでは、２つの信号レベル、具体的には、ハイレベル及びローレベル、又は、「１」及び「０」によって情報が表されている。
【００３５】
蓄電装置１２は、インレット４０、ＡＣ／ＤＣ変換部４１、リレー４２、蓄電部４３、充電制御部４４、通信部４５、ＥＣＵ４６、２つの給電線４７ａ，４７ｂ及び通信線４８を有する。２つの給電線４７ａ，４７ｂ夫々はインレット４０及びＡＣ／ＤＣ変換部４１間を接続している。ＡＣ／ＤＣ変換部４１は、２つの給電線４７ａ，４７ｂの他にリレー４２に接続している。リレー４２は、更に、蓄電部４３の正極及び負極に各別に接続されている。充電制御部４４はインレット４０と通信部４５とに各別に接続されている。通信線４８はインレット４０及び通信部４５間を接続している。更に、充電制御部４４、通信部４５及びＥＣＵ４６はバス４９を介して相互に接続されている。
【００３６】
インレット４０にはケーブル１１のコネクタ２０が着脱可能に接続される。ケーブル１１のコネクタ２０がインレット４０に接続した場合、ケーブル１１に内包してある給電線２１ａ，２１ｂ夫々は蓄電装置１２の給電線４７ａ，４７ｂに接続し、ケーブル１１に内包してある通信線２２は蓄電装置１２の通信線４８に接続する。
【００３７】
インレット４０にケーブル１１のコネクタ２０が接続されている状態で給電装置１０のリレー３０がオンである場合、交流電源１４が出力した交流電力がＡＣ／ＤＣ変換部４１に入力される。
ＡＣ／ＤＣ変換部４１は、入力された交流電力を直流電力に変換し、該直流電力を、リレー４２を介して蓄電部４３に供給する。ＡＣ／ＤＣ変換部４１が蓄電部４３に出力する直流電力に係る直流電流及び直流電圧は充電制御部４４によって調整される。
【００３８】
リレー４２は充電制御部４４によってオン／オフされる。リレー４２がオンである場合、ＡＣ／ＤＣ変換部４１から蓄電部４３への給電が可能となる。リレー４２がオフである場合、ＡＣ／ＤＣ変換部４１から蓄電部４３への給電が遮断される。
蓄電部４３は、リチウムイオン電池又は電気二重層キャパシタ等であり、リレー４２を介して、ＡＣ／ＤＣ変換部４１から供給された電力を蓄える。
【００３９】
充電制御部４４は、インレット４０から、インレット４０とケーブル１１のコネクタ２０とが接続したか否かを示す接続信号が入力される。具体的には、インレット４０にコネクタ２０が接続されていない場合、インレット４０から充電制御部４４に所定の第１電圧が入力され、インレット４０にコネクタ２０が接続されている場合、インレット４０から充電制御部４４に、第１電圧とは異なる所定の第２電圧が入力される。
【００４０】
充電制御部４４は、入力された接続信号が示す電圧が第１電圧である場合、インレット４０とケーブル１１のコネクタ２０とが接続していない、即ち、蓄電装置１２に給電装置１０が接続されていないと判定する。充電制御部４４は、入力された接続信号が示す電圧が第２電圧である場合、インレット４０とケーブル１１のコネクタ２０とが接続している、即ち、蓄電装置１２に給電装置１０が接続されていると判定する。
【００４１】
インレット４０にケーブル１１のコネクタ２０が接続されている状態で、充電制御部４４は、通信線２２，４８を介して、給電装置１０の充電制御部３１と制御信号を送受信し、通信部４５は、通信線２２，４８を介して給電装置１０の通信部３２と通信信号を送受信する。
【００４２】
通信部４５は、通信線４８を伝播する制御信号を、ローパスフィルタを用いて抽出し、抽出した制御信号を充電制御部４４に出力する。この構成は受動的な構成である。このため、通信部４５が動作を終了している場合であっても、制御信号が通信線４８から抽出され、抽出された制御信号は充電制御部４４に出力される。
【００４３】
通信部４５は、通信線４８を伝播する通信信号を、バンドパスフィルタを用いて抽出し、抽出した通信信号を受信する。通信部４５は、抽出した通信信号に含まれる第２充電情報を、バス４９を介して充電制御部４４に出力する。
以上のように、蓄電装置１２は、通信信号の送受信と、周波数帯域が通信信号と異なる制御信号の送受信とを１本の通信線４８を介して給電装置１０と行う。制御信号は第２の信号に相当する。
【００４４】
充電制御部４４は、通信線４８を介して送受信されている制御信号に含まれる第１充電情報に基づいて、又は、該第１充電情報と、通信線４８を介して送受信されている通信信号に含まれる第２充電情報とに基づいて、ＡＣ／ＤＣ変換部４１が出力する直流電力に係る直流電流及び直流電圧を調整し、リレー４２をオン／オフする。これにより、充電制御部４４は給電装置１０から蓄電装置１２の蓄電部４３への充電を制御する。
【００４５】
ＥＣＵ４６は、例えば、ドアのロック／アンロック、窓の開閉及び空調制御等を行うボディＥＣＵである。ＥＣＵ４６は、蓄電装置１２の近傍、例えば、蓄電装置１２が搭載されている車両から半径約１メートル以内の範囲に存在する通信機１３と無線通信を行い、通信機１３を認証する。通信機１３は特定の対象に相当する。
【００４６】
蓄電装置１２では、充電制御部４４、通信部４５及びＥＣＵ４６によって、蓄電部４３の充電を制御する構成が変更される。この構成の概要を以下に示す。充電制御部４４は、蓄電装置１２に給電装置１０が接続されたと判定した場合、起動を指示する起動信号を通信部４５に出力する。通信部４５は、起動信号が入力された場合に起動する。通信部４５は起動した場合、通信機１３の認証要求をＥＣＵ４６に出力する。ＥＣＵ４６は、認証要求が入力された場合、通信機１３と無線通信を行い、通信機１３を認証する。
【００４７】
ＥＣＵ４６は、認証の成否を示す認証成否信号を充電制御部４４及び通信部４５に出力する。充電制御部４４及び通信部４５に入力された認証成否信号が認証の成功を示す場合、通信部４５は給電装置１０の通信部３２と通信し、充電制御部４４は制御信号及び通信信号夫々に含まれる第１充電情報及び第２充電情報に基づいて蓄電部４３の充電を制御する。充電制御部４４及び通信部４５に入力された認証成否信号が認証の失敗を示す場合、通信部４５は給電装置１０の通信部３２と通信せず、充電制御部４４は制御信号に含まれる第１充電情報に基づいて充電を制御する。
【００４８】
ＥＣＵ４６は、入出力部５０、記憶部５１、送受信部５２及び制御部５３を有し、これらはバス５４によって互いに接続されている。入出力部５０は更にバス４９にも接続されている。
入出力部５０には、バス４９を介して通信部４５から認証要求が入力される。入出力部５０は、認証要求が入力された場合、制御部５３に認証要求を通知する。また、入出力部５０は制御部５３の指示に従って認証成否信号を、バス４９を介して充電制御部４４及び通信部４５に出力する。
【００４９】
記憶部５１は例えば不揮発性のメモリである。記憶部５１には、通信機１３を認証するための一又は複数の認証情報、具体的には、一又は複数の通信機夫々のＩＤ（Identification Data）が記憶してある。記憶部５１に記憶してある内容は制御部５３によって読出される。
送受信部５２は、制御部５３の指示に従って、認証情報の送信を要求する要求信号を無線で通信機１３に送信する。送受信部５２が要求信号を送信することが可能な範囲は車両、具体的には蓄電装置１２の近傍に限定されている。送受信部５２は、通信機１３から応答信号を無線で受信し、受信した応答信号に含まれる認証情報を制御部５３に出力する。送受信部５２は送信手段及び受信手段として機能する。
制御部５３は、入出力部５０に認証要求が入力された場合、通信機１３を認証して認証結果を充電制御部４４及び通信部４５に通知する認証処理を行う。
【００５０】
通信機１３は、無線通信によって車両のエンジンの始動／停止、若しくは、車両のドアのロック／アンロックを行う車両キー、又は、携帯電話機等の携帯型の通信機である。通信機１３は、記憶部６０、送受信部６１及び制御部６２を有し、これらはバス６３によって相互に接続されている。
記憶部６０は、例えば不揮発性のメモリである。記憶部６０には通信機１３を認証するための認証情報、具体的には通信機１３のＩＤが記憶されている。記憶部６０に記憶してある認証情報は制御部６２によって読出される。
【００５１】
送受信部６１は、ＥＣＵ４６の送受信部５２が送信した要求信号を無線で受信する。送受信部６１は、要求信号を受信した場合、その旨を制御部６２に通知する。送受信部６１は、更に、制御部６２の指示に従って、認証情報を含む応答信号をＥＣＵ４６の送受信部５２に無線で送信する。
なお、要求信号の周波数帯域と応答信号の周波数帯域とは互いに異なっていてもよいし、重なっていてもよい。
【００５２】
制御部６２は、送受信部６１が要求信号を受信した場合、記憶部６０に記憶してある認証情報を読出し、送受信部６１に指示して、読出した認証情報を含む応答信号をＥＣＵ４６の送受信部５２に送信させる。
【００５３】
以下では、充電制御部４４及び通信部４５夫々が行う動作と、ＥＣＵ４６の制御部５３が行う認証処理と、通信機１３の制御部６２が行う動作とを詳細に説明する。
【００５４】
図２は充電制御部４４が行う動作の手順を示すフローチャートである。まず、充電制御部４４は、前述したように、インレット４０から入力されている電圧に基づいて、蓄電装置１２のインレット４０に給電装置１０のコネクタ２０が接続されたか否かを判定する（ステップＳ１）。これにより、充電制御部４４は、蓄電装置１２に給電装置１０が接続されたか否かを判定する。充電制御部４４は判定手段として機能する。
【００５５】
充電制御部４４は、インレット４０にコネクタ２０が接続されていないと判定した場合（Ｓ１：ＮＯ）、処理をステップＳ１に戻し、インレット４０にコネクタ２０が接続されるまで待機する。
充電制御部４４は、インレット４０にコネクタ２０が接続されたと判定した場合（Ｓ１：ＹＥＳ）、起動信号を通信部４５に出力する（ステップＳ２）。前述したように、充電制御部４４が起動信号を出力したことにより、通信部４５は起動してＥＣＵ４６の入出力部５０に認証要求を出力する。これにより、ＥＣＵ４６の制御部５３は通信機１３を認証し、ＥＣＵ４６の入出力部５０は認証成否信号を充電制御部４４及び通信部４５に出力する。
【００５６】
次に、充電制御部４４は、ＥＣＵ４６の入出力部５０から認証成否信号が入力されたか否かを判定する（ステップＳ３）。充電制御部４４は、認証成否信号が入力されていないと判定した場合（Ｓ３：ＮＯ）、処理をステップＳ３に戻し、認証成否信号が入力されるまで待機する。
【００５７】
充電制御部４４は、認証成否信号が入力されたと判定した場合（Ｓ３：ＹＥＳ）、入力された認証成否信号が示す内容に基づいて、ＥＣＵ４６の制御部５３によって行われた認証が成功したか否かを判定する（ステップＳ４）。充電制御部４４は、入力された認証成否信号が認証の成功を示す場合に認証が成功したと判定し、入力された認証成否信号が認証の失敗を示す場合に認証が失敗したと判定する。
【００５８】
認証成否信号が認証の成功を示す場合、蓄電装置１２の通信部４５と給電装置１０の通信部３２との間で通信信号が送受信され、認証成否信号が認証の失敗を示す場合、通信部４５，３２間で通信信号が送受信されることはない。
【００５９】
充電制御部４４は、認証が成功したと判定した場合（Ｓ４：ＹＥＳ）、充電制御部４４と給電装置１０の充電制御部３１との間で送受信されている制御信号に含まれる第１充電情報、及び、通信部４５と給電装置１０の通信部３２との間で送受信されている通信信号に含まれる第２充電情報に基づいて蓄電部４３への充電を制御する（ステップＳ５）。
【００６０】
次に、充電制御部４４は、蓄電部４３への充電が完了したか否かを判定する（ステップＳ６）。例えば、蓄電部４３の蓄電率を監視する図示しない監視装置がバス４９に接続されており、充電制御部４４は、監視装置から通知される蓄電率が所定率以上である場合に蓄電部４３への充電が完了したと判定する。
【００６１】
充電制御部４４は、充電が完了していないと判定した場合（Ｓ６：ＮＯ）、処理をステップＳ５に戻す。充電制御部４４は、蓄電部４３への充電が完了するまで、ステップＳ５を繰り返す。
【００６２】
ステップＳ５では、充電制御部４４は、第１充電情報だけではなく、第２充電情報に基づいて蓄電部４３への充電を制御する。通信部４５が給電装置１０の通信部３２から受信した第２充電情報が、施設で消費されている電力量を示している場合、充電制御部４４は、施設で消費される電力量が所定電力量未満となるように蓄電部４３への充電を制御することができる。更に、通信部４５が、給電装置１０の通信部３２から受信した第２充電情報が１日の各時間帯における電気料金を示している場合、充電制御部４４は、充電にかかる費用が最も安価になるように蓄電部４３への充電を制御することができる。
なお、充電制御部４４は最初にステップＳ５を実行する場合において、充電準備の完了を示す第１充電情報を含む制御信号を充電制御部３１に送信している。
【００６３】
充電制御部４４は、充電が完了したと判定した場合（Ｓ６：ＹＥＳ）、動作の停止を指示する停止信号を通信部４５に出力し（ステップＳ７）、動作を終了する。
【００６４】
充電制御部４４は、認証が失敗したと判定した場合（Ｓ４：ＮＯ）、充電制御部４４と給電装置１０の充電制御部３１との間で送受信されている制御信号に含まれる第１充電情報に基づいて蓄電部４３への充電を制御する（ステップＳ８）。
次に、充電制御部４４は、ステップＳ６と同様に、蓄電部４３への充電が完了したか否かを判定する（ステップＳ９）。
【００６５】
充電制御部４４は、蓄電部４３への充電が完了していないと判定した場合（Ｓ９：ＮＯ）、処理をステップＳ８に戻す。充電制御部４４は、蓄電部４３への充電が完了するまで、ステップＳ８を繰り返す。
なお、充電制御部４４は最初にステップＳ８を実行する場合において、充電準備の完了を示す第１充電情報を含む制御信号を充電制御部３１に送信している。
【００６６】
充電制御部４４は、蓄電部４３への充電が完了したと判定した場合（Ｓ９：ＹＥＳ）、動作を終了する。
充電制御部４４は、動作を終了した後、蓄電装置１２のインレット４０からケーブル１１のコネクタ２０が外された場合に再びステップＳ１を実行する。
【００６７】
図３は通信部４５が行う動作の手順を示すフローチャートである。蓄電装置１２の通信部４５は、充電制御部４４から起動信号が入力した場合、起動し、図３に示す処理を実行する。
通信部４５は、まず、通信機１３の認証要求を、バス４９を介してＥＣＵ４６の入出力部５０に出力する（ステップＳ１１）。前述したように、通信部４５が認証要求を出力した場合、ＥＣＵ４６の制御部５３は、通信機１３を認証し、ＥＣＵ４６の入出力部５０は認証成否信号を充電制御部４４及び通信部４５に出力する。
【００６８】
通信部４５は、ＥＣＵ４６の入出力部５０から認証成否信号が入力されたか否かを判定する（ステップＳ１２）。通信部４５は、認証成否信号が入力されていないと判定した場合（Ｓ１２：ＮＯ）、処理をステップＳ１２に戻し、認証成否信号が入力されるまで待機する。
【００６９】
通信部４５は、ＥＣＵ４６の入出力部５０から認証成否信号が入力されたと判定した場合（Ｓ１２：ＹＥＳ）、入力された認証成否信号が示す内容に基づいて、ＥＣＵ４６の制御部５３によって行われた認証が成功したか否かを判定する（ステップＳ１３）。ステップＳ１３において、通信部４５は、充電制御部４４がステップＳ４で行った処理と同様の処理を行う。
【００７０】
通信部４５は、認証が成功したと判定した場合（Ｓ１３：ＹＥＳ）、給電装置１０の通信部３２との通信信号の送受信を開始し（ステップＳ１４）、通信部３２との通信信号の送受信で得られた第２充電情報を充電制御部４４に出力する（ステップＳ１５）。
【００７１】
次に、通信部４５は、充電制御部４４から停止信号が入力されたか否かを判定する（ステップＳ１６）。通信部４５は、停止信号が入力されていないと判定した場合（Ｓ１６：ＮＯ）、処理をステップＳ１５に戻す。通信部４５は、停止信号が入力されるまで、充電制御部４４に第２充電情報を出力し続ける。通信部４５は、停止信号が入力されたと判定した場合（Ｓ１６：ＹＥＳ）、動作を終了する。
【００７２】
また、通信部４５は、認証が失敗したと判定した場合（Ｓ１３：ＮＯ）、給電装置１０の通信部３２と通信信号を送受信することなく、動作を終了する。
通信部４５は、動作を終了した後、再び、充電制御部４４から起動信号が入力された場合にステップＳ１１を実行する。
【００７３】
図４はＥＣＵ４６の制御部５３が行う認証処理の手順を示すフローチャートである。制御部５３は、入出力部５０に認証要求が入力された場合に認証処理を開始する。まず、制御部５３は、送受信部５２に指示して、認証情報の送信を要求する要求信号を通信機１３の送受信部６１に送信させ（ステップＳ２１）、送受信部５２が通信機１３の送受信部６１から応答信号を受信したか否かを判定する（ステップＳ２２）。制御部５３は、送受信部５２が応答信号を受信していないと判定した場合（Ｓ２２：ＮＯ）、処理をステップＳ２２に戻し、送受信部５２が応答信号を受信するまで待機する。
【００７４】
制御部５３は、送受信部５２が応答信号を受信したと判定した場合（Ｓ２２：ＹＥＳ）、送受信部５２が受信した応答信号に含まれている認証情報、即ち、通信機１３のＩＤに基づいて通信機１３を認証する（ステップＳ２３）。具体的には、制御部５３は、送受信部５２が受信した応答信号に含まれている認証情報が、記憶部５１に記憶してある一又は複数の認証情報に含まれているか否かによって通信機１３を認証する。
【００７５】
送受信部５２が受信した応答信号に含まれている認証情報が記憶部５１に記憶してある一又は複数の認証情報に含まれている場合、制御部５３によって行われた通信機１３の認証は成功する。制御部５３は、送受信部５２が受信した応答信号に含まれている認証情報が記憶部５１に記憶してある一又は複数の認証情報に含まれていない場合、制御部５３によって行われた通信機１３の認証は失敗する。
【００７６】
以上のように、充電制御部４４によって蓄電装置１２に給電装置１０が接続されたと判定された場合、通信部４５は起動してＥＣＵ４６の入出力部５０に認証要求を出力し、制御部５３は、送受信部５２に指示して、要求信号を通信機１３の送受信部６１に送信させる。そして、制御部５３は、ＥＣＵ４６の送受信部５２が受信した応答信号に含まれる認証情報を取得し、取得した認証情報に基づいて通信機１３を認証する。制御部５３は取得手段及び認証手段として機能する。
【００７７】
次に、制御部５３は、入出力部５０に指示して、ステップＳ２３で行った認証の成否を示す認証成否信号を充電制御部４４及び通信部４５に出力させ（ステップＳ２４）、認証処理を終了する。このため、制御部５３がステップＳ２３で通信機１３の認証に成功した場合、通信部４５は給電装置１０の通信部３２と通信信号を送受信し、制御部５３がステップＳ２３で通信機１３の認証に失敗した場合、通信部４５は給電装置１０の通信部３２との通信信号の送受信を行わない。
制御部５３は、認証処理を終了した後、通信部４５から認証要求が入出力部５０に再び入力した場合にステップＳ２１を実行する。
【００７８】
図５は通信機１３の制御部６２が行う動作の手順を示すフローチャートである。まず、制御部５３は、送受信部６１が、ＥＣＵ４６の送受信部５２から無線で要求信号を受信したか否かを判定する（ステップＳ３１）。制御部６２は、送受信部６１が要求信号を受信していないと判定した場合（Ｓ３１：ＮＯ）、処理をステップＳ３１に戻し、送受信部６１が要求信号を受信するまで待機する。
【００７９】
制御部６２は、送受信部６１が要求信号を受信したと判定した場合（Ｓ３１：ＹＥＳ）、記憶部６０に記憶してある認証情報を読出し（ステップＳ３２）、送受信部６１に指示して、読出した認証情報を含む応答信号をＥＣＵ４６の送受信部５２に無線で送信させる（ステップＳ３３）。その後、制御部６２は動作を終了する。制御部６２は、動作を終了した後、再び、ステップＳ３１を実行し、ＥＣＵ４６の送受信部５２から要求信号を受信するまで待機する。
【００８０】
以上のように構成された蓄電装置１２においては、充電制御部４４によって蓄電装置１２に給電装置１０が接続されたと判定した場合、ＥＣＵ４６の制御部５３は、通信機１３を認証するための認証情報を取得し、取得した認証情報に基づいて通信機１３を認証する。制御部５３によって行われた認証が成功した場合、蓄電装置１２の通信部４５は給電装置１０の通信部３２と通信信号の送受信を行い、認証が失敗した場合、通信部４５は通信部３２と通信信号の送受信を行わない。
【００８１】
このため、通信機１３を所持している者のみが蓄電装置１２に給電装置１０との通信を行わすことができるので、第３の不当な通信による情報の破壊、変更又は漏えい等の妨害を阻止することができる。更に、通信信号に暗号化等の複雑な処理を施す必要がないため、妨害を安価に阻止することができる。
ＥＣＵ４６の制御部５３が行った認証の成否にかかわらず、蓄電装置１２の充電制御部４４は給電装置１０の充電制御部３１と制御信号を送受信する。しかし、制御信号は、前述したようにデータ信号ではないため、第３者が不当な通信を行うために容易に用いることができない信号である。従って、充電制御部３１，３３間で制御信号の送受信が行われた場合であっても、第３者の不当な通信によって、情報の破壊、変更又は漏えい等の妨害が行われる確率は低い。
【００８２】
また、前述したように、蓄電装置１２では、ＥＣＵ４６の制御部５３は、送受信部５２に要求信号を通信機１３に無線で送信させ、送受信部５２が無線で受信した応答信号に含まれる認証情報を取得する。このため、使用者にとって、ＥＣＵ４６の制御部５３が認証を行うために必要なことは、通信機１３を所持することであるため、使用者は認証に煩わしさを感じることはない。
【００８３】
（実施の形態２）
実施の形態１では、ＥＣＵ４６の制御部５３は、送受信部５２が通信機１３の送受信部６１と無線通信を行うことによって認証情報を取得している。しかしながら、制御部５３が認証情報を取得する構成は、送受信部５２，６１の無線通信によって取得する構成に限定されない。
以下では、実施の形態２について、実施の形態１と異なる点を説明する。後述する構成を除く他の構成については、実施の形態１と同様であるため、同様の符号を付してその説明を省略する。
【００８４】
図６は実施の形態２における給電システム７の要部構成を示すブロック図である。この給電システム７は、給電装置１０、ケーブル１１及び蓄電装置７０を備え、蓄電装置７０は車両に好適に搭載されている。給電装置１０、ケーブル１１、交流電源１４及び蓄電装置７０は実施の形態１と同様に接続される。ここで、実施の形態１における蓄電装置１２は蓄電装置７０に対応している。給電装置１０、ケーブル１１及び交流電源１４夫々の構成及び作用は実施の形態１と同様であり、蓄電装置７０については、認証に関する構成を除く他の構成は、実施の形態１における蓄電装置１２と同様に作用する。実施の形態１で行った給電装置１０、ケーブル１１及び交流電源１４の作用の説明において蓄電装置１２は蓄電装置７０に対応する。
従って、給電装置１０はケーブル１１を介して蓄電装置７０に接続され、蓄電装置７０は、給電装置１０によって給電されると共に制御信号及び通信信号の送受信を給電装置１０と行う。給電装置１０は、実施の形態２においても外部装置として機能する。
【００８５】
蓄電装置７０は、実施の形態１における蓄電装置１２と同様に、インレット４０、ＡＣ／ＤＣ変換部４１、リレー４２、蓄電部４３、充電制御部４４、通信部４５、ＥＣＵ４６、２つの給電線４７ａ，４７ｂ及び通信線４８を有し、これらは実施の形態１と同様に接続されている。蓄電装置７０は、更に、生体情報受付部７０ａを有し、生体情報受付部７０ａはバス４９に接続されている。
【００８６】
ＡＣ／ＤＣ変換部４１、リレー４２、蓄電部４３、充電制御部４４及び通信部４５は実施の形態１と同様に作用する。従って、充電制御部４４は、蓄電装置７０に給電装置１０が接続されたか否かを判定し、実施の形態２においても判定手段として機能する。通信部４５は給電装置１０の通信部３２と通信信号を、通信線４８を介して送受信し、充電制御部４４は給電装置１０の充電制御部４４と周波数帯域が通信信号と異なる制御信号を、通信線４８を介して送受信する。
【００８７】
生体情報受付部７０ａは、使用者を認証するための認証情報として、指紋、声紋又は静脈等に係る生体情報を使用者から受け付け、受け付けた生体情報をＥＣＵ４６に出力する。生体情報受付部７０ａは、受付手段として機能する。実施の形態２において、使用者は特定の対象に相当する。
ＥＣＵ４６は、生体情報受付部７０ａが受け付けた生体情報に基づいて使用者を認証する。ＥＣＵ４６は、実施の形態１と同様に、認証の成否を示す認証成否信号を充電制御部４４及び通信部４５に出力する。
【００８８】
実施の形態２におけるＥＣＵ４６は、実施の形態１と同様に、入出力部５０、記憶部５１及び制御部５３を有し、これらはバス５４によって接続されている。入出力部５０は更にバス４９にも接続されている。
【００８９】
実施の形態２における入出力部５０には、バス４９を介して、通信部４５から認証要求が入力されると共に、生体情報受付部７０ａから生体情報が入力される。入出力部５０は、認証要求が入力された場合、制御部５３に認証要求を通知する。入出力部５０は、生体情報が入力された場合、入力された生体情報を制御部５３に出力する。また、入出力部５０は、実施の形態１と同様に、制御部５３の指示に従って認証成否信号を、バス４９を介して充電制御部４４及び通信部４５に出力する。
【００９０】
実施の形態２における記憶部５１には、使用者を認証するための一又は複数の生体情報が記憶してある。記憶部５１に記憶してある内容は制御部５３によって読出される。
実施の形態２における制御部５３は、入出力部５０に認証要求が入力された場合、使用者を認証して認証結果を充電制御部４４及び通信部４５に通知する認証処理を行う。
【００９１】
図７はＥＣＵ４６の制御部５３が行う認証処理の手順を示すフローチャートである。制御部５３は、入出力部５０に認証要求が入力された場合に認証処理を開始する。まず、制御部５３は、生体情報受付部７０ａから入出力部５０に生体情報が入力されたか否かを判定する（ステップＳ４１）。制御部５３は、入出力部５０に生体情報が入力されていないと判定した場合（Ｓ４１：ＮＯ）、処理をステップＳ４１に戻し、生体情報受付部７０ａから入出力部５０に生体情報が入力されるまで待機する。
【００９２】
制御部５３は、入出力部５０に生体情報が入力されたと判定した場合（Ｓ４１：ＹＥＳ）、入出力部５０に入力された生体情報、言い換えると、生体情報受付部７０ａが使用者から受け付けた生体情報に基づいて使用者を認証する（ステップＳ４２）。具体的には、制御部５３は、入出力部５０に入力された生体情報が、記憶部５１に記憶してある一又は複数の生体情報に含まれているか否かによって使用者を認証する。
【００９３】
入出力部５０に入力された生体情報が、記憶部５１に記憶してある一又は複数の生体情報に含まれている場合、制御部５３によって行われた使用者の認証は成功する。入出力部５０に入力された生体情報が、記憶部５１に記憶してある一又は複数の生体情報に含まれていない場合、制御部５３によって行われた使用者の認証は失敗する。
【００９４】
実施の形態２における充電制御部４４及び通信部４５は、実施の形態１と同様に作用するため、充電制御部４４によって蓄電装置７０に給電装置１０が接続されたと判定された場合、通信部４５は、起動してＥＣＵ４６の入出力部５０に認証要求を出力する。そして、制御部５３は、入出力部５０に入力された生体情報、言い換えると、生体情報受付部７０ａが受け付けた生体情報を取得し、取得した生体情報に基づいて使用者を認証する。制御部５３は実施の形態２においても取得手段及び認証手段として機能する。
【００９５】
次に、制御部５３は、入出力部５０に指示して、ステップＳ４２で行った認証の成否を示す認証成否信号を充電制御部４４及び通信部４５に出力させ（ステップＳ４３）、認証処理を終了する。制御部５３は、認証処理を終了した後、通信部４５から認証要求が入出力部５０に再び入力した場合にステップＳ４１を実行する。
【００９６】
以上のように構成された蓄電装置７０では、充電制御部４４は、蓄電装置７０に給電装置１０が接続されたと判定した場合に、起動信号を通信部４５に出力する。通信部４５は起動し、認証要求をＥＣＵ４６の入出力部５０に出力する。ＥＣＵ４６の制御部５３は、生体情報受付部７０ａが使用者から受け付けた生体情報を取得し、取得した生体情報に基づいて使用者を認証する。制御部５３は、入出力部５０に指示して、認証の成否を示す認証成否信号を充電制御部４４及び通信部４５に出力させる。
【００９７】
制御部５３が行った認証が成功した場合、通信部４５は給電装置１０の通信部３２と通信信号を送受信し、充電制御部４４は第１充電情報及び第２充電情報に基づいて蓄電部４３への充電を制御する。制御部５３が行った認証が失敗した場合、通信部４５は給電装置１０の通信部３２と通信信号を送受信せず、充電制御部４４は第１充電情報に基づいて蓄電部４３への充電を制御する。
【００９８】
従って、ＥＣＵ４６の記憶部５１に記憶している一又は複数の生体情報中の１つを持っている者のみが蓄電装置７０に給電装置１０との通信を行わすことができ、第３者の不当な通信による情報の破壊、変更又は漏えい等の妨害を阻止することができる。また、通信信号に暗号化等の複雑な処理を施す必要がないため、妨害を安価に阻止することができる。
また、生体情報受付部７０ａは生体情報を受け付け、ＥＣＵ４６の制御部５３は生体情報受付部７０ａが受け付けた生体情報を取得するので、蓄電装置７０は簡単な構成で使用者を認証することができる。
【００９９】
（実施の形態３）
実施の形態２においては、ＥＣＵ４６の制御部５３は、使用者から認証情報として生体情報を受け付け、受け付けた生体情報に基づいて使用者を認証した。しかしながら、使用者から受け付ける認証情報は生体情報に限定されず、使用者ごとに設定されているパスワードであってもよい。
以下では、実施の形態３について、実施の形態２と異なる点を説明する。後述する構成を除く他の構成については、実施の形態１又は２と同様であるため、同様の符号を付してその説明を省略する。
【０１００】
図８は実施の形態３における給電システム８の要部構成を示すブロック図である。この給電システム８は、給電装置１０、ケーブル１１及び蓄電装置８０を備え、蓄電装置８０は車両に好適に搭載されている。給電装置１０、ケーブル１１、交流電源１４及び蓄電装置８０は実施の形態２、即ち、実施の形態１と同様に接続される。ここで、実施の形態１における蓄電装置１２は蓄電装置８０に対応している。給電装置１０、ケーブル１１及び交流電源１４夫々の構成及び作用は、実施の形態２、即ち、実施の形態１と同様であり、蓄電装置８０については、認証に関する構成を除く他の構成は、実施の形態２の蓄電装置７０、即ち、実施の形態１の蓄電装置１２と同様に作用する。実施の形態１で行った給電装置１０、ケーブル１１及び交流電源１４の作用の説明において蓄電装置１２は蓄電装置８０に対応する。
【０１０１】
従って、給電装置１０はケーブル１１を介して蓄電装置８０に接続され、蓄電装置８０は、給電装置１０によって給電されると共に制御信号及び通信信号の送受信を給電装置１０と行う。給電装置１０は、実施の形態３においても外部装置として機能する。
【０１０２】
蓄電装置８０は、実施の形態２における蓄電装置７０が有する構成部の中で、生体情報受付部７０ａを除く他の構成部を有し、これらは、実施の形態２と同様に接続されている。蓄電装置８０は、生体情報受付部７０ａの代わりに認証情報受付部８０ａを有し、認証情報受付部８０ａはバス４９に接続されている。
【０１０３】
ＡＣ／ＤＣ変換部４１、リレー４２、蓄電部４３、充電制御部４４及び通信部４５は実施の形態２、即ち、実施の形態１と同様に作用する。従って、充電制御部４４は、蓄電装置８０に給電装置１０が接続されたか否かを判定し、実施の形態３においても判定手段として機能する。通信部４５は給電装置１０の通信部３２と通信信号を、通信線４８を介して送受信し、充電制御部４４は給電装置１０の充電制御部４４と周波数帯域が通信信号と異なる制御信号を、通信線４８を介して送受信する。
【０１０４】
認証情報受付部８０ａは、使用者を認証するための認証情報として、パスワードを使用者から受け付け、受け付けた認証情報をＥＣＵ４６に出力する。認証情報受付部８０ａは、使用者から認証情報の入力を受け付けるためのタッチパネル又はテンキー等の図示しない操作部を有し、操作部を介して使用者から認証情報を受け付ける。認証情報受付部８０ａは、実施の形態３において受付手段として機能する。実施の形態３においても、使用者は特定の対象に相当する。
ＥＣＵ４６は、認証情報受付部８０ａが受け付けた認証情報に基づいて使用者を認証する。ＥＣＵ４６は、実施の形態２と同様に、認証の成否を示す認証成否信号を充電制御部４４及び通信部４５に出力する。
【０１０５】
実施の形態３におけるＥＣＵ４６は、実施の形態２と同様の構成部を有し、これらは実施の形態２と同様に接続されている。
実施の形態３における入出力部５０には、バス４９を介して、通信部４５から認証要求が入力されると共に、認証情報受付部８０ａから認証情報が入力される。入出力部５０は、認証要求が入力された場合、制御部５３に認証要求を通知する。入出力部５０は、認証情報が入力された場合、入力された認証情報を制御部５３に出力する。また、入出力部５０は、実施の形態２と同様に、制御部５３の指示に従って認証成否信号を、バス４９を介して充電制御部４４及び通信部４５に出力する。
【０１０６】
実施の形態３における記憶部５１には、使用者を認証するための一又は複数の認証情報が記憶してある。記憶部５１に記憶してある内容は制御部５３によって読出される。
実施の形態３における制御部５３は、入出力部５０に認証要求が入力された場合、使用者を認証して認証結果を充電制御部４４及び通信部４５に通知する認証処理を行う。
【０１０７】
図９はＥＣＵ４６の制御部５３が行う認証処理の手順を示すフローチャートである。制御部５３は、入出力部５０に認証要求が入力された場合に認証処理を開始する。まず、制御部５３は、認証情報受付部８０ａから入出力部５０に認証情報が入力されたか否かを判定する（ステップＳ５１）。制御部５３は、入出力部５０に認証情報が入力されていないと判定した場合（Ｓ５１：ＮＯ）、処理をステップＳ５１に戻し、認証情報受付部８０ａから入出力部５０に認証情報が入力されるまで待機する。
【０１０８】
制御部５３は、入出力部５０に認証情報が入力されたと判定した場合（Ｓ５１：ＹＥＳ）、入出力部５０に入力された認証情報、即ち、認証情報受付部８０ａが使用者から受け付けた認証情報に基づいて使用者を認証する（ステップＳ５２）。具体的には、制御部５３は、入出力部５０に入力された認証情報が、記憶部５１に記憶してある一又は複数の認証情報に含まれているか否かによって使用者を認証する。
【０１０９】
入出力部５０に入力された認証情報が、記憶部５１に記憶してある一又は複数の認証情報に含まれている場合、制御部５３によって行われた使用者の認証は成功する。入出力部５０に入力された認証情報が、記憶部５１に記憶してある一又は複数の認証情報に含まれていない場合、制御部５３によって行われた使用者の認証は失敗する。
【０１１０】
実施の形態３における充電制御部４４及び通信部４５は、実施の形態２、即ち、実施の形態１と同様に作用するため、充電制御部４４によって蓄電装置８０に給電装置１０が接続されたと判定した場合、通信部４５は、起動してＥＣＵ４６の入出力部５０に認証要求を出力する。そして、制御部５３は、入出力部５０に入力された認証情報、即ち、認証情報受付部８０ａが受け付けた認証情報を取得し、取得した認証情報に基づいて使用者を認証する。制御部５３は実施の形態３においても取得手段及び認証手段として機能する。
【０１１１】
次に、制御部５３は、入出力部５０に指示して、ステップＳ５２で行った認証の成否を示す認証成否信号を充電制御部４４及び通信部４５に出力させ（ステップＳ５３）、認証処理を終了する。制御部５３は、認証処理を終了した後、通信部４５から認証要求が入出力部５０に再び入力した場合にステップＳ５１を実行する。
【０１１２】
以上のように構成された蓄電装置８０は、認証情報として生体情報ではなくパスワードが用いられる点を除いて、実施の形態２における蓄電装置７０と同様に作用する。従って、ＥＣＵ４６の制御部５３が行った認証が成功した場合、通信部４５は給電装置１０の通信部３２と通信信号を送受信し、制御部５３が行った認証が失敗した場合、通信部４５は給電装置１０の通信部３２と通信信号を送受信しない。
【０１１３】
このため、ＥＣＵ４６の記憶部５１に記憶している一又は複数の認証情報中の１つを知っている者のみが蓄電装置８０に給電装置１０との通信を行わすことができ、第３者の不当な通信による情報の破壊、変更又は漏えい等の妨害を阻止することができる。また、通信信号に暗号化等の複雑な処理を施す必要がないため、妨害を安価に阻止することができる。
また、認証情報受付部８０ａは使用者から認証情報を受け付け、ＥＣＵ４６の制御部５３は認証情報受付部８０ａが受け付けた認証情報を取得するので、蓄電装置８０は簡単な構成で使用者を認証することができる。
【０１１４】
なお、実施の形態１から３において、ＥＣＵ４６の制御部５３が特定の対象を認証するために用いる認証情報はＩＤ、生体情報又はパスワードに限定されず、例えば、人物画像に係る画像データであってもよい。例えば、実施の形態３において、蓄電装置８０は、認証情報受付部８０ａの代わりに、人物を撮像する撮像部を有し、撮像部が撮像した人物画像に係る画像データは撮像部から入出力部５０に出力される。制御部５３は、認証処理を開始した場合、入出力部５０を介して画像データを取得し、取得した画像データに基づいて使用者を認証する。
【０１１５】
記憶部５１には、使用者を認証するための一又は複数の画像データが記憶されている。制御部５３が取得した画像データに係る人物画像の特徴が、一又は複数の画像データ夫々に係る人物画像中の１つの特徴と一致する場合、制御部５３が行っている認証は成功する。制御部５３が取得した画像データに係る人物画像の特徴が、一又は複数の画像データ夫々に係る人物画像のいずれの特徴にも一致していない場合、制御部５３が行っている認証は失敗する。このように構成された蓄電装置８０であっても第３者の不当な通信による妨害を阻止することができる。
【０１１６】
また、実施の形態１から３において、通信線４８を介して通信信号及び制御信号が送受信される構成でなくてもよい。実施の形態１から３夫々における蓄電装置は、ケーブル１１のコネクタ２０と蓄電装置のインレット４０とが接続した場合に、給電装置１０の充電制御部３１と蓄電装置の充電制御部４４とが１本の通信線で接続され、給電装置１０の通信部３２と蓄電装置の通信部４５とが１本の通信線で接続するように構成されてもよい。この場合、通信信号及び制御信号夫々について周波数帯域は重なっていてもよい。
【０１１７】
開示された実施の形態１から３は、全ての点で例示であって制限的なものではないと考えられるべきである。本発明の範囲は上述の説明ではなく特許請求の範囲によって示され、特許請求の範囲と均等の意味及び範囲内での全ての変更が含まれることが意図される。
【符号の説明】
【０１１８】
１，７，８  給電システム
１０  給電装置（外部装置）
１２，７０，８０  蓄電装置
４４  充電制御部（判定手段）
５３  制御部（取得手段、認証手段）
５２  送受信部（送信手段、受信手段）
７０ａ  生体情報受付部（受付手段）
８０ａ  認証情報受付部（受付手段）
【図１】
2015226349.tif 000003
【図２】
2015226349.tif 000004
【図３】
2015226349.tif 000005
【図４】
2015226349.tif 000006
【図５】
2015226349.tif 000007
【図６】
2015226349.tif 000008
【図７】
2015226349.tif 000009
【図８】
2015226349.tif 000010
【図９】
2015226349.tif 000011